(57)【要約】【課題】楊枝を衛生的に収納するとともに容易に取り出すことができる携帯用楊枝パッケージを提供する。【解決手段】矩形状の基部１０と、一端部が基部１０に固着されるとともにその一端部の近傍で折曲自在に形成され、楊枝の全部を１本ずつ封止して収納する楊枝収納袋２１と、基部１０との間に形成された折り込み線１５で折られ、基部１０に固着された楊枝収納袋２１の一端部２２を覆う第１の覆部１１と、基部１０との間に形成された折り込み線１６で折られ、楊枝収納袋２１を覆う第２の覆部１２とを設けた。【選択図】        図１
2008264133.tif 000002
【特許請求の範囲】
【請求項１】
矩形状の基部と、
一端部が前記基部に固着されるとともにその一端部の近傍で折曲自在に形成され、楊枝の全部を１本ずつ封止して収納する楊枝収納袋と、
前記基部との間に形成された折り込み線で折られ、前記基部に固着された前記楊枝収納袋の一端部を覆う第１の覆部と、
前記基部との間に形成された折り込み線で折られ、前記楊枝収納袋を覆う第２の覆部とを設けたことを特徴とする携帯用楊枝パッケージ。
【発明の詳細な説明】
【技術分野】
【０００１】
本発明は、楊枝を衛生的に収納するとともに容易に取り出すことができる携帯用楊枝パッケージに関する。
【背景技術】
【０００２】
従来の携帯用楊枝パッケージは、先端部を斜めに切り取ったシート状の楊枝全体をプラスチックカバーで包装して携帯に便利な名刺大のパッケージとしたものがある（例えば、特許文献１参照）。
また、本体の表面に楊枝を複数本入れることができる収納部を設け、その収納部に楊枝を収納するカード状の楊枝入れとしたものもある（例えば、特許文献２参照）。
【特許文献１】登録実用新案第３０６０９１２号公報（段落「００１２」〜段落「００１６」、図２）
【特許文献２】特開２００４−２６７７１１号公報（段落「０００５」〜段落「０００６」、図１）
【発明の開示】
【発明が解決しようとする課題】
【０００３】
しかしながら、上述した従来の特許文献１に示す技術においては、複数の楊枝全体をプラスチックカバーで包装しているため、楊枝を取り出すときに他の楊枝が外気に触れ、微細なゴミや細菌等が付着する恐れがあり、不衛生であるという問題がある。
また、従来の特許文献２に示す技術においても、楊枝の先端部を収納部に収納するようにし、楊枝全体が収納部に収納されていないため、外気に触れ、微細なゴミや細菌等が付着する恐れがあり、不衛生であるという問題がある。
【０００４】
本発明は、このような問題を解決することを課題とする。
【課題を解決するための手段】
【０００５】
そのため、本発明は、矩形状の基部と、一端部が前記基部に固着されるとともにその一端部の近傍で折曲自在に形成され、楊枝の全部を１本ずつ封止して収納する楊枝収納袋と、前記基部との間に形成された折り込み線で折られ、前記基部に固着された前記楊枝収納袋の一端部を覆う第１の覆部と、前記基部との間に形成された折り込み線で折られ、前記楊枝収納袋を覆う第２の覆部とを設けたことを特徴とする。
【発明の効果】
【０００６】
このようにした本発明は、楊枝を外気に触れさせることなく、衛生的に楊枝を携帯することができるようになるという効果が得られる。
【発明を実施するための最良の形態】
【０００７】
以下、図面を参照して本発明による携帯用楊枝パッケージの実施例を説明する。
【実施例】
【０００８】
図１は実施例における携帯用楊枝パッケージの分解斜視図である。
図１において、１０は基部、１１は第１の覆部、１２は第２の覆部であり、０．７ｍｍ程度の薄板上の紙片や合成樹脂等の部材で矩形状に形成されたものである。
基部１０と第１の覆部１１の間に折り込み線１５、および基部１０と第２の覆部１２の間に折り込み線１６が折り込み線１５と対向する辺に設けられ、その折り込み線１５、１６で第１の覆部１１および第２の覆部１２を同一の側に折り込むことで基部１０全体を覆うことができるように形成されている。
【０００９】
２０は楊枝であり、通常の爪楊枝である。この楊枝２０は木材や合成樹脂等の部材で形成されたものである。
２１は楊枝収納袋であり、楊枝２０を包装するものである。この楊枝収納袋２１は強い弾性を有さない薄い紙や合成樹脂等の部材で１本の楊枝２０の全部を包装し、封止するように形成されている。
【００１０】
楊枝収納袋２１の一端部は楊枝２０を収納した状態で折り込み線１５の近傍に設けられた固着部２２において基部１０に固着され、他の端部は自由端となっている。
第１の覆部１１は折り込み線１５で折り曲げられて固着部２２の近傍を覆うように形成され、楊枝２０が収納された楊枝収納袋２１はその固着部２２（楊枝収納袋２１の一端部）の近傍で折曲自在になっている。
【００１１】
また、第２の覆部１２は折り込み線１６で折り曲げられ楊枝収納袋２１全体を覆うように形成され、その内側の面、すなわち折り込み線１６で折り曲げたときの基部１０側の面は、店名等の広告を印刷する広告面１３として使用することができるようになっている。
なお、本実施例では図１に示すように収納された楊枝２０の尖った部位側の楊枝収納袋２１の端部が基部１０に固着されているものとするが、それに限られることなく楊枝２０の尖った部位の反対側の端部を基部１０に固着するようにしてもよい。
【００１２】
また、それぞれの楊枝収納袋２１は分離されて基部１０に固着されていてもよく、また指先で容易に切り離せることができる程度に接着連結されて基部１０に固着されていてもよいものとする。
さらに、本実施例では楊枝収納袋２１は６本となるように構成されているが６本に限られることなく、５本以下、または７本以上であってもよい。
【００１３】
また、本実施例では折り込み線１６は折り込み線１５と対向する辺に設けられた例で説明したが、それに限られることなく折り込み線１５に隣り合う辺に設けるようにしてもよい。
このように携帯用楊枝パッケージ１は基部１０、第１の覆部１１、第２の覆部１２、楊枝２０、楊枝収納袋２１等で構成されている。
【００１４】
上述した構成の作用について説明する。
図２は実施例における携帯時の携帯用楊枝パッケージの斜視図である。
図２に示すように携帯時は携帯用楊枝パッケージの第２の覆部１２が折り込み線１６で折り曲げられ楊枝収納袋２１全体を覆い、洋服のポケットやバッグ等に収納し、携帯することができる。
【００１５】
このとき、楊枝２０は１本ずつ楊枝収納袋２１に収納されているため、外気に触れることなく微細なゴミや細菌等が付着することがなく衛生的に楊枝を携帯することができる。
図３は実施例における楊枝を取り出す時の携帯用楊枝パッケージの斜視図である。
図３に示すように楊枝を取り出す時は洋服のポケットやバッグ等から携帯用楊枝パッケージを取り出し、折り込み線１６で折り曲げられた第２の覆部１２を開放して指先で楊枝収納袋２１を基部１０から離れる方向に折曲させる。
【００１６】
さらに、折曲させた楊枝収納袋２１は指先で固着部２２から容易に切り離すことができる。
なお、折り込み線１６で折り曲げられた第２の覆部１２の内側および外側の表面に宣伝広告等を印刷することができる宣伝広告面１３、１４が設けられている。
また、第１の覆部１１の表面や基部１０の外側の表面に宣伝広告面を設けるようにしてもよい。
【００１７】
以上説明したように、本実施例では、楊枝２０は１本ずつ楊枝収納袋２１に収納されているため、外気に触れることなく微細なゴミや細菌等が付着することがなく、衛生的に楊枝を携帯することができるようになるという効果が得られる。
また、楊枝収納袋２１を折曲させることができるように形成されているため、指先で容易に楊枝収納袋２１を固着部２２から切り離し、楊枝を取り出すことができるという効果が得られる。
【図面の簡単な説明】
【００１８】
【図１】実施例における携帯用楊枝パッケージの分解斜視図
【図２】実施例における携帯時の携帯用楊枝パッケージの斜視図
【図３】実施例における楊枝を取り出す時の携帯用楊枝パッケージの斜視図
【符号の説明】
【００１９】
１    携帯用楊枝パッケージ
１０  基部
１１  第１の覆部
１２  第２の覆部
２０  楊枝
２１  楊枝収納袋
２２  固着部
【図１】
2008264133.tif 000003
【図２】
2008264133.tif 000004
【図３】
2008264133.tif 000005